(57)【要約】【課題】ユーザのニーズに対応したプログラム中の所定位置に区切り情報を自動設定することが可能な編集記録方法を提供すること。【解決手段】目的のプログラムを取得し（ＳＴ１７、ＳＴ１８、ＳＴ１９）、無音期間検出条件に基づき前記プログラムから無音期間を検出し（ＳＴ２０）、区切り情報設定条件に基づき前記無音期間中の所定位置に対して区切り情報を設定し（ＳＴ２１）、前記区切り情報に基づき複数のチャプタで管理される前記プログラムを記録する（ＳＴ２２）。【選択図】    図４
2004326926.tif 000002
【特許請求の範囲】
【請求項１】
目的のプログラムを取得し、
無音期間検出条件に基づき前記プログラムから無音期間を検出し、
区切り情報設定条件に基づき前記無音期間中の所定位置に対して区切り情報を設定し、
前記区切り情報に基づき複数のチャプタで管理される前記プログラムを記録する、
ことを特徴とする編集記録方法。
【請求項２】
前記無音期間検出条件は、ユーザにより設定された無音時間長の情報を含むことを特徴とする請求項１に記載の編集記録方法。
【請求項３】
前記無音期間検出条件は、前記プログラムの種別毎に設定された無音時間長の情報を含むことを特徴とする請求項１に記載の編集記録方法。
【請求項４】
前記無音時間長は、前記プログラムの種別毎に初期値が定められており、前記プログラムの種別毎に前記初期値から増加方向及び減少方向のどちらか一方向に変更設定可能であることを特徴とする請求項３に記載の編集記録方法。
【請求項５】
前記区切り情報設定条件は、前記プログラムの種別毎に前記区切り情報の設定の必要性を示す情報を含むことを特徴とする請求項１に記載の編集記録方法。
【請求項６】
前記区切り情報設定条件は、前記無音期間中のユーザにより指定された位置に対して前記区切り情報を設定する情報を含むことを特徴とする請求項１に記載の編集記録方法。
【請求項７】
前記区切り情報設定条件は、ユーザにより設定された前記無音期間中のユーザにより指定された開始位置及び終了位置のどちらか一方の位置に対して前記区切り情報を設定する情報を含むことを特徴とする請求項１に記載の編集記録方法。
【請求項８】
前記区切り情報設定条件は、プログラム識別情報から判明する前記プログラムの種別毎に設定された前記無音期間中の開始位置及び終了位置のどちらか一方の位置に対して前記区切り情報を設定する情報を含むことを特徴とする請求項１に記載の編集記録方法。
【請求項９】
前記プログラムのチャンネル設定の変更が検出されたとき、前記無音期間検出条件及び前記区切り情報設定条件を初期設定値に戻すことを特徴とする請求項１に記載の編集記録方法。
【請求項１０】
前記プログラムを取得する取得手段と、
無音期間検出条件に基づき前記取得手段により取得された前記プログラムから無音期間を検出する検出手段と、
区切り情報設定条件に基づき前記検出手段により検出された前記無音期間中の所定位置に対して区切り情報を設定する設定手段と、
前記設定手段により設定された前記区切り情報に基づき複数のチャプタで管理される前記プログラムを記録する記録手段と、
を備えたことを特徴とする編集記録装置。
【請求項１１】
前記無音期間検出条件は、ユーザにより設定された無音時間長の情報を含むことを特徴とする請求項１０に記載の編集記録装置。
【請求項１２】
前記無音期間検出条件は、前記プログラムの種別毎に設定された無音時間長の情報を含むことを特徴とする請求項１０に記載の編集記録装置。
【請求項１３】
前記無音時間長は、前記プログラムの種別毎に初期値が定められており、前記プログラムの種別毎に前記初期値から増加方向及び減少方向のどちらか一方向に変更設定可能であることを特徴とする請求項１２に記載の編集記録装置。
【請求項１４】
前記区切り情報設定条件は、前記プログラムの種別毎に前記区切り情報の設定の必要性を示す情報を含むことを特徴とする請求項１０に記載の編集記録装置。
【請求項１５】
前記区切り情報設定条件は、前記無音期間中のユーザにより指定された位置に対して前記区切り情報を設定する情報を含むことを特徴とする請求項１０に記載の編集記録装置。
【請求項１６】
前記区切り情報設定条件は、前記無音期間中のユーザにより指定された開始位置及び終了位置のどちらか一方の位置に対して前記区切り情報を設定する情報を含むことを特徴とする請求項１０に記載の編集記録装置。
【請求項１７】
前記区切り情報設定条件は、プログラム識別情報から判明する前記プログラムの種別毎に設定された前記無音期間中の開始位置及び終了位置のどちらか一方の位置に対して前記区切り情報を設定する情報を含むことを特徴とする請求項１０に記載の編集記録装置。
【請求項１８】
前記プログラムのチャンネル設定の変更が検出されたとき、前記無音期間検出条件及び前記区切り情報設定条件を初期設定値に戻すことを特徴とする請求項１０に記載の編集記録装置。
【発明の詳細な説明】
【０００１】
【発明の属する技術分野】
この発明は、ビデオ情報及びオーディオ情報等で構成されるプログラム中に、チャプタ等の区切り情報を設定する編集記録方法及び編集記録装置に関する。
【０００２】
【従来の技術】
周知のように、近年では、映像や音声等のデータを書き換え可能な媒体としてのＤＶＤ（Ｄｉｇｉｔａｌ  Ｖｅｒｓａｔｉｌｅ  Ｄｉｓｋ）−ＲＡＭ（記憶容量４．７ＧＢ）、及びＤＶＤ−ＲＡＭドライブが普及し始めている。また、ＤＶＤ−ＲＡＭドライブの中には、１００ＧＢクラスのハードディスク装置を搭載したものも登場している。ＤＶＤ−ＲＡＭ又はハードディスクに対しては、ＲＴＲ（Ｒｅａｌ  Ｔｉｍｅ  Ｒｅｃｏｒｄｉｎｇ）−ＤＶＤの規格に基づき、放送信号をリアルタイム記録することができる。
【０００３】
上記したＤＶＤ−ＲＡＭ及びハードディスク等の媒体の記憶容量は大きく、これら媒体には多数のプログラム（タイトル）、あるいは長時間プログラム（タイトル）を記録することが可能である。長時間のプログラムが記録された場合、ユーザはプログラム中に区切りの設定を希望すると考えられる。このような要望に対して、画面上で確認しながら区切りを設定し、これに対応してチャプタを容易に作成することができるチャプタ作成ガイド機能付き記録再生装置に関する技術が公開されている（特許文献１）
【０００４】
【特許文献１】
特開２００２−１５２６６６号公報
【０００５】
【発明が解決しようとする課題】
しかし、上記特許文献１に記載の技術によると、画面上で確認しながらでなければチャプタが設定できないという問題がある。例えば、予約録画されたプログラムをチャプタ再生しようとしても、事前にユーザによりチャプタが設定されていなければ、チャプタ再生はできない。
【０００６】
この発明の目的は、上記した課題を解決するためになされたものであって、ユーザのニーズに対応したプログラム中の所定位置に区切り情報を自動設定することが可能な編集記録方法及び編集記録装置を提供することにある。
【０００７】
【課題を解決するための手段】
上記課題を解決し目的を達成するために、この発明の編集記録方法及び編集記録装置は、以下のように構成されている。
【０００８】
（１）この発明の編集記録方法は、目的のプログラムを取得し、無音期間検出条件に基づき前記プログラムから無音期間を検出し、区切り情報設定条件に基づき前記無音期間中の所定位置に対して区切り情報を設定し、前記区切り情報に基づき複数のチャプタで管理される前記プログラムを記録する。
【０００９】
（２）この発明の編集記録装置は、前記プログラムを取得する取得手段と、無音期間検出条件に基づき前記取得手段により取得された前記プログラムから無音期間を検出する検出手段と、区切り情報設定条件に基づき前記検出手段により検出された前記無音期間中の所定位置に対して区切り情報を設定する設定手段と、前記設定手段により設定された前記区切り情報に基づき複数のチャプタで管理される前記プログラムを記録する記録手段とを備えている。
【００１０】
【発明の実施の形態】
以下、この発明の実施の形態について図面を参照して説明する。
【００１１】
図１は、この発明の一例の情報記録再生装置（編集記録装置）の概略構成を示す図である。図１に示す情報記録再生装置は、ＤＶＤ又はハードディスクに記録されたプログラム等の情報を再生したり、及びＤＶＤ又はハードディスクにプログラム等の情報を記録したりする。
【００１２】
図１に示すように、情報記録再生装置は、ＭＰＵ部１０、表示部１５、デコーダ部２０、エンコーダ部３０、Ａ／Ｖ入力部４０、ＴＶチューナー部４１、ＳＴＣ部（Ｓｙｓｔｅｍ  Ｔｉｍｅ  Ｃｏｕｎｔｅｒ）４２、Ｄ−ＰＲＯ（Ｄａｔａ  Ｐｒｏｃｅｓｓｏｒ）部４３、一時記憶部（以下、ＨＤＤ（ハードディスクドライブ）と称する）４４、ディスクドライブ部４５、キー入力部４６、Ｖミキシング部４７、フレームメモリ部４８、ＴＶ用Ｄ／Ａ部４９、オーディオ用Ｄ／Ａ部５０、及びセレクタ部５１などを備えている。
【００１３】
ＭＰＵ部１０は、ワークＲＡＭ部１１、予約録画処理部１２、無音期間検出処理部１３、及び区切り情報設定処理部１４を備えている。予約録画処理部１２は、キー入力部４６から入力される予約録画情報に基づき目的のプログラムを録画する。無音期間検出処理部１３は、無音期間検出条件に基づき目的のプログラム（録画されるプログラム）から無音期間を検出する。区切り情報設定処理部１４は、区切り情報設定条件に基づき目的のプログラムの無音期間中の所定位置に対して区切り情報を設定する。なお、予約録画処理、無音期間検出処理、及び区切り情報設定処理については、後に詳しく説明する。
【００１４】
エンコーダ部３０は、Ａ／Ｄ部３１、ビデオエンコード部３２、オーディオエンコード部３３、フォーマッタ部３５、バッファメモリ部３６などを備えている。デコーダ部２０は、分離部２１、ビデオデコード部２２、ＳＰデコード部２３、オーディオデコード部２４、及びＶ−ＰＲＯ部２５などを備えている。
【００１５】
録画は、ＨＤＤ４４又はディスクドライブ部４５により行なわれる。例えば、ＨＤＤ４４は、ディスクドライブ部４５によりＤＶＤ−ＲＡＭに録画されるデータと同じデータを記録し、ディスクドライブ部４５（ディスク）単独では難しい特殊処理（タイムシフト、書き込みエラー処理など）を実現可能としている。ＨＤＤ４４は、例えば１００ＧＢのハードディスクドライブである。さらに、このＨＤＤ４４とディスクドライブ部４５の記録先であるＤＶＤ−ＲＡＭを組み合わせることにより、長時間の記録には、大容量のＨＤＤ４４を使用し、長期保存が必要な場合にはＤＶＤ−ＲＡＭを使用することにより、両者の長所をシステムに取り込むことができる。
【００１６】
ビデオ信号の流れは、次のようになる。Ａ／Ｖ入力部４０又はＴＶチューナ部４１で入力された信号がアナログ信号の場合は、入力信号はＡ／Ｄ部３１でデジタル変換される。デジタル変換された入力信号のうちビデオ信号はビデオエンコード部３２へ、オーディオ信号はオーディオエンコード部３３へ入力される。Ａ／Ｖ入力部４０又はＴＶチューナ部４１で入力された信号がデジタル信号の場合は、入力信号のうちビデオ信号はビデオエンコード部３２へ、オーディオ信号はオーディオエンコード部３３へ入力される。ビデオ信号はＭＰＥＧ圧縮され、オーディオ信号はＡＣ３圧縮またはＭＰＥＧオーディオ圧縮がなされる。
【００１７】
ビデオエンコード部３２及びオーディオエンコード部３３から、圧縮データがパック化された場合に２０４８バイトになるようにパケット化されて、フォーマッタ部３５へ入力される。フォーマッタ部３５では、各パケットがパック化され、さらに、多重化され、Ｄ−ＰＲＯ部４３へ送られる。
【００１８】
Ｄ−ＰＲＯ部４３は、例えば１６パック毎に２重にエラー訂正コードを付加し、ＥＣＣ（Ｅｒｒｏｒ  Ｃｏｒｒｅｃｔｉｏｎ  Ｃｏｄｅ）ブロックを形成する。このＤ−ＰＲＯ部４３で生成されたＥＣＣブロックのデータは、ディスクドライブ部４５によりディスクに記録されたり、又はＨＤＤ４４に記録されたりする。
【００１９】
情報記録再生装置では、ＤＶＤに記録されたデータにアクセスする場合において、アクセス（シーク）している間に、とぎれないで再生を続けるために、最低限連続するセクタが必要になってくる。この単位をＣＤＡ（Ｃｏｎｔｉｎｉｕｓ  Ｄａｔａ  ａｒｉａ）という。このＣＤＡは、ＥＣＣブロック単位となっている方が有利である。そのため、ＣＤＡサイズは１６の倍数にし、ファイルシステムでは、このＣＤＡ単位で記録を行っている。ただし、この場合、ディスク内にうまくＣＤＡの大きさの空き領域がない場合などは、別のファイルが使用している短いセクタが、ＣＤＡ内に入り込むことも許している。これにより、ＣＤＡ単位で記録することができる。また、映画などのデータをＤＶＤ−ＲＡＭへ書き込むとき（録画時には）、ＨＤＤ４４にもまったく同じデータを書き込み、さまざまな特殊処理を行うこともできる。
【００２０】
次に、上記説明した情報記録再生装置による編集記録について説明する。ここでは、例えば予約録画されるプログラム中に自動的にチャプタを設定するケースについて説明する。
【００２１】
まず、予約録画について簡単に説明する。予約録画に必要な予約録画情報は、キー入力部４６を介して入力される。予約録画情報とは、例えば、チャンネル番号、録画開示時刻、録画終了時刻、録画モード（標準、高精彩）などである。入力された予約録画情報は、予約録画処理部１２により管理される。予約録画処理部１２は、予約録画情報に基づきＴＶチューナー部４１から目的のプログラムを抽出し、ＨＤＤ４４又はディスクドライブ部４５により録画させる。
【００２２】
例えば、デジタル放送の場合には、放送局側からプログラム情報が提供される。プログラム情報には、どのチャンネルのどの時間帯にどのような内容のプログラムが放送されているかを示す情報が含まれる。つまり、放送局側から提供されるプログラム情報と、ユーザ入力される予約録画情報に含まれるチャンネル番号、録画開示時刻、及び録画終了時刻帯とから、録画対象のプログラムの内容（プログラムの種別）を判別することができる。例えば、録画対象のプログラムが、ドラマのプログラムなのか、音楽のプログラムなのかなどを判別することができる。デジタル放送でない場合、録画対象のプログラムの内容を判別することができない。そこで、予約録画情報として、ユーザが録画対象のプログラムの種別を入力するようにしてもよい。このプログラムの種別に応じて、この後説明する無音期間検出及び区切り情報設定が行なわれる。
【００２３】
次に、チャプタの設定について説明する。例えば、予約録画処理部１２が、録画予約情報に基づき、ＴＶチューナー部４１を介して目的のプログラムを取得する。このとき、無音期間検出処理部１３が、無音期間検出条件に基づき目的のプログラムのオーディオ信号から無音期間を検出する。さらに、区切り情報設定処理部１４が、区切り情報設定条件に基づき検出された無音期間中の所定位置に対する区切り情報の設定を指示する。これに対応して、フォーマッタ部３５が、無音期間の所定位置に区切り情報を設定し、この区切り情報に基づき複数のチャプタで管理されるプログラムをフォーマットし、このプログラムはＨＤＤ４４又はディスクドライブ部４５により記録される。つまり、区切り情報の前後で、二つのチャプタに分割管理されたプログラムが記録される。
【００２４】
ここで、上記した無音期間検出条件について説明する。無音期間検出処理部１３は、予め初期設定された無音期間検出条件を保持している。例えば、無音期間検出条件は、プログラムの種別毎に設定された無音時間長の情報を含む。具体的には、無音期間検出条件は、次のような情報１、情報２を含む。
【００２５】
情報１：プログラムがドラマの場合には、無音がＭ秒以上続く期間を無音期間として検出する。
【００２６】
情報２：プログラムが音楽の場合には、無音がＮ秒以上続く期間を無音期間として検出する。
【００２７】
上記した情報１及び情報２は、例えば初期設定の情報であり、予め無音期間検出処理部１３により保持されているものとする。また、初期設定の無音期間検出条件は、ユーザにより自由に変更することができる。つまり、キー入力部４６を介して自由に無音期間検出条件を変更することができる。
【００２８】
このとき、情報１については初期設定の時間（Ｍ秒）から増加方向にのみ変更可能とし、情報２については初期設定の時間（Ｎ秒）から減少方向についてのみ変更可能とする。ドラマのプログラムにおいては、例えばプログラム中の場面と場面との境界を検出することが目的である。この場合、Ｍ秒未満に設定してしまうと、この境界以外にも多数の境界を検出してしまう。例えば、ドラマの中の同一場面内での会話と会話の間のわずかな無音期間まで検出してしまう。よって、このケースでは、Ｍ秒未満の設定には意味がない。一方、音楽のプログラムの場合、曲と曲との境界を検出することが目的である。この場合、Ｎ秒より大きい値に設定してしまうと、この境界を検出することができない。よって、このケースでは、Ｎ秒より大きい値の設定には意味がない。
【００２９】
続いて、区切り情報設定条件について説明する。区切り情報設定処理部１４は、予め初期設定の区切り情報設定条件を保持している。例えば、区切り情報設定条件は、設定の有無を示す情報、及び設定位置を示す情報を含む。具体的には、区切り情報設定条件は、次のような情報３、情報４、情報５、情報６を含む。
【００３０】
情報３：ドラマのプログラムには区切り情報を設定する（又は設定しない）。
【００３１】
情報４：音楽のプログラムには区切り情報を設定する（又は設定しない）。
【００３２】
情報５：ドラマのプログラムには無音期間中の終了位置に区切り情報を設定する。
【００３３】
情報６：音楽のプログラムには無音期間中の終了位置からｎ秒前に区切り情報を設定する。
【００３４】
上記した情報３、情報４、情報５、及び情報６は、例えば初期設定の情報であり、予め区切り情報設定処理部１４により保持されているものとする。情報３は、ドラマのプログラムに対して区切り情報を設定する（又は設定しない）ことを示す。この情報３により、ドラマのプログラムに対して区切り情報を設定するか否かを制御することができる。情報４は、音楽のプログラムに対して区切り情報を設定する（又は設定しない）ことを示す。この情報４により、ドラマのプログラムに対して区切り情報を設定するか否かを制御することができる。情報５は、ドラマのプログラム中の無音期間中の終了位置に区切り情報を設定することを示す。この情報５を書き換えることにより、ドラマのプログラム中の無音期間中の任意の位置に区切り情報を設定することができる。情報６は、音楽のプログラム中の無音期間中の終了位置からｎ秒前に区切り情報を設定することを示す。例えば曲と曲との間には無音期間が存在し、曲の再生が始まる前に（例えばｎ秒前に）、この曲に対応する画像の再生が始まる。つまり、音楽のプログラム中の無音期間中の終了位置に区切り情報を設定し、この区切り情報の位置から再生を開始すると、実際の再生の開始点と曲の再生の開始点は合致するが、実際の再生の開始点と画像の再生の開始点は合致しない。そこで、音楽のプログラム中の無音期間中の終了位置からｎ秒前に区切り情報を設定するようにして、実際の再生の開始点を画像の再生の開始点に合致させる。この情報６を書き換えることにより、音楽のプログラム中の無音期間中の任意の位置に区切り情報を設定することができる。
【００３５】
上記した初期設定の区切り情報設定条件は、ユーザにより自由に変更することができる。つまり、キー入力部４６を介して自由に区切り情報設定条件を変更することができる。例えば、情報３を「ドラマのプログラムには区切り情報を設定しない」に変更すれば、ドラマのプログラムには区切り情報は設定されない。また、情報６を「音楽のプログラムには無音期間中の開始位置に区切り情報を設定する」に変更すれば、音楽のプログラム中の無音期間中の開始位置に区切り情報が設定される。プログラムの種別によって無音期間中における区切りたい位置が違う場合、プログラムの種別毎に区切りたい位置を可変設定することができる。
【００３６】
図２は、上記した情報１、情報３、情報５に基づく、無音期間検出及び区切り情報設定の概念を示す図である。図３は、上記した情報２、情報４、情報６に基づく、無音期間検出及び区切り情報設定の概念を示す図である。
【００３７】
また、ＴＶチューナ４１では地域毎のチャンネル設定が可能であり、ＴＶチューナ４１によりチャンネル設定の変更が検出されると、無音期間検出条件及び区切り情報設定条件は初期設定に戻される。例えば、引越しなどで、情報記録再生装置の設置の地域が変わると、これに伴いチャンネルの設定も変わる。このような場合、ユーザ設定された無音期間検出条件及び区切り情報設定条件では、不適切な場合が有り得るので、一旦、初期設定に戻される。
【００３８】
図４は、編集記録の一例を示すフローチャートである。上記説明したように、情報記録再生装置は、初期設定された無音期間検出条件及び区切り情報設定条件を保持している。初期設定された無音期間検出条件を変更する場合には（ＳＴ１１、ＹＥＳ）、つまりキー入力部４６を介してユーザが無音期間検出条件を設定する場合には（ＳＴ１１、ＹＥＳ）、ユーザにより設定された無音期間検出条件が適用される（ＳＴ１２）。初期設定された無音期間検出条件を変更しない場合には（ＳＴ１１、ＮＯ）、初期設定された無音期間検出条件がそのまま適用される（ＳＴ１３）。
【００３９】
初期設定された区切り情報設定条件を変更する場合には（ＳＴ１４、ＹＥＳ）、つまりキー入力部４６を介してユーザが区切り情報設定条件を設定する場合には（ＳＴ１４、ＹＥＳ）、ユーザにより設定された区切り情報設定条件が適用される（ＳＴ１６）。初期設定された区切り情報設定条件を変更しない場合には（ＳＴ１４、ＮＯ）、初期設定された区切り情報設定条件がそのまま適用される（ＳＴ１６）。
【００４０】
さらに、キー入力部１６を介して録画予約情報が設定され（ＳＴ１７）、録画開始時刻になると（ＳＴ１８、ＹＥＳ）、録画予約情報に基づきプログラムの録画が開始される（ＳＴ１９）。プログラムの録画中は、無音期間検出条件に基づき無音期間が検出され（ＳＴ２０）、さらに区切り情報設定条件に基づき区切り情報が設定される（ＳＴ２１）。この区切り情報の設定に伴い、録画中のプログラムを複数のチャプタで管理する管理情報が、プログラムとともに記録される（ＳＴ２２）。プログラムの録画が終了するまで、無音期間の検出処理及び区切り情報の設定処理が継続される（ＳＴ１８〜ＳＴ２３）。
【００４１】
録画されたプログラム中には所定の位置に区切り情報が設定され、録画されたプログラムは複数のチャプタで管理されることになる。つまり、ユーザは、録画されたプログラムを再生しながら区切り情報を設定しなくても、録画されたプログラムを即座に区切り情報を利用して再生することができる。区切り情報は、ドラマのプログラムの中身の部分とＣＭ部分との境界や、音楽のプログラムの曲と曲との境界に設定されているので、区切り情報を利用して簡単にスキップ再生することができる（チャプタ再生）。
【００４２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００４３】
【発明の効果】
この発明によれば、ユーザのニーズに対応したプログラム中の所定位置に区切り情報を自動設定することが可能な編集記録方法及び編集記録装置を提供できる。
【図面の簡単な説明】
【図１】この発明の一例の情報記録再生装置（編集記録装置）の概略構成を示す図である。
【図２】ドラマのプログラムの無音期間検出及び区切り情報設定の概念を示す図である。
【図３】音楽のプログラムの無音期間検出及び区切り情報設定の概念を示す図である。
【図４】編集記録の一例を示すフローチャートである。
【符号の説明】
１０…ＭＰＵ部、１２…予約録画処理部、１３…無音期間検出処理部、１４…区切り情報設定処理部、２０…デコーダ部、３０…エンコーダ部、４０…Ａ／Ｖ入力部、４１…ＴＶチューナー部、４２…ＳＴＣ部（Ｓｙｓｔｅｍ  Ｔｉｍｅ  Ｃｏｕｎｔｅｒ）、４３…Ｄ−ＰＲＯ（Ｄａｔａ  Ｐｒｏｃｅｓｓｏｒ）部、４４…一時記憶部（ＨＤＤ）、４５…ディスクドライブ部、４６…キー入力部
【図１】
2004326926.tif 000003
【図２】
2004326926.tif 000004
【図３】
2004326926.tif 000005
【図４】
2004326926.tif 000006